(57)【要約】【課題】回転移動時に筐体が傷つくことを防止することができる携帯端末装置を提供すること。【解決手段】携帯端末装置が、操作部を備える第１の筐体と、第１の筐体の操作部が備えられる前面と対向配置され、かかる前面の操作部以外の位置を中心点として第１の筐体と略平行に回転する第２の筐体と、第１の筐体又は第２の筐体のいずれか一方の筐体における他方の筐体との対向面のうち操作部と前述の中心点との間に形成され、かかる中心点における双方の筐体の間隔以上の高さに他方の筐体に向けて隆起した凸部とを有する。【選択図】図７
2011205501.tif 000002
【特許請求の範囲】
【請求項１】
操作部を備える第１の筐体と、
前記第１の筐体の操作部が備えられる前面と対向配置され、該前面の操作部以外の位置を中心点として該前面と略平行に回転する第２の筐体と、
前記第１の筐体又は前記第２の筐体のいずれか一方の筐体における他方の筐体との対向面のうち前記操作部と前記中心点との間に形成され、前記中心点における双方の筐体の間隔以上の高さに該他方の筐体に向けて隆起した凸部と
を有することを特徴とする携帯端末装置。
【請求項２】
前記第２の筐体は、
前記中心点を中心に前記第１の筐体の前面と略平行に該第２の筐体と一体的に回転し、回転時に前記凸部と接触する接触部を有する回転部が備えられ、
前記凸部は、
前記第１の筐体における前記第２の筐体との対向面のうち、前記接触部の回転軌跡に対応する位置に形成されることを特徴とする請求項１に記載の携帯端末装置。
【請求項３】
前記凸部は、
前記中心点における前記第１の筐体と前記第２の筐体との間隔以上の高さに隆起した中央から両端に向けて高さが徐々に低くなる形状であることを特徴とする請求項２に記載の携帯端末装置。
【請求項４】
前記接触部は、
回転軌跡の全範囲において前記凸部に接触することを特徴とする請求項２又は３に記載の携帯端末装置。
【発明の詳細な説明】
【技術分野】
【０００１】
本発明は、携帯端末装置に関する。
【背景技術】
【０００２】
携帯電話機等の携帯端末装置には、操作部等を備える固定側筐体と、液晶表示部等を備える可動側筐体とを有するものがある。近年では、可動側筐体が固定側筐体に対して水平に回転する回転式の携帯端末装置も知られている。
【０００３】
ここで、図９及び図１０を用いて、従来の回転式携帯端末装置について説明する。図９及び図１０は、従来の回転式携帯端末装置の外観例を示す斜視図である。図９に示すように、従来の携帯端末装置２００は、可動側筐体２１０と、固定側筐体２２０とを有する。可動側筐体２１０は、各種情報を表示する液晶表示部２１１が設けられる。固定側筐体２２０は、多機能キー、決定キー、ダイヤルキー、テンキー等の操作部２２１が設けられる。
【０００４】
図９に示した例において、可動側筐体２１０及び固定側筐体２２０は、図示しない連結部によって連結される。かかる連結部は、可動側筐体２１０及び固定側筐体２２０を回転自在に連結する。言い換えれば、可動側筐体２１０は、図示しない連結部によって、固定側筐体２２０に対して平行に回転自在に固定側筐体２２０と連結される。
【０００５】
図１０は、可動側筐体２１０が回転移動した回転状態を示す。すなわち、図１０に示した例では、可動側筐体２１０が回転移動させられ、可動側筐体２１０の長手方向と固定側筐体２２０の長手方向とが垂直状態になる。このように、回転式の携帯端末装置２００は、液晶表示部２１１の視認性の向上を図っている。例えば、ユーザは、可動側筐体２１０を回転状態にすることで、液晶表示部２１１をワイド画面対応にすることができ、固定側筐体２２０を手に持ちながら地上デジタル放送やワンセグメント放送を視聴することができる。
【先行技術文献】
【特許文献】
【０００６】
【特許文献１】特開２００４−１８７１８６号公報
【特許文献２】特開２００８−６６７６３号公報
【発明の概要】
【発明が解決しようとする課題】
【０００７】
しかしながら、上記の従来技術には、筐体が傷つきやすいという問題がある。図９に示した例を用いて説明すると、可動側筐体２１０が回転移動する際に、可動側筐体２１０の一端は、固定側筐体２２０と接触しながら回転移動する場合がある。かかる場合には、可動側筐体２１０は、固定側筐体２２０を傷つけるおそれがある。
【０００８】
図１１を用いて、より具体的に説明する。図１１は、図９のＩ−Ｉ線における断面を模式的に示す図である。図１１に示すように、可動側筐体２１０が回転移動する際に、可動側筐体２１０の一端が固定側筐体２２０側へ下がり、可動側筐体２１０と固定側筐体２２０との隙間がなくなる場合がある。かかる状態で可動側筐体２１０が回転移動した場合には、可動側筐体２１０の一端が固定側筐体２２０の操作部２２１が備えられている面を傷つけるおそれがある。
【０００９】
開示の技術は、上記に鑑みてなされたものであって、回転移動時に筐体が傷つくことを防止することができる携帯端末装置を提供することを目的とする。
【課題を解決するための手段】
【００１０】
本願の開示する携帯端末装置は、一つの態様において、操作部を備える第１の筐体と、前記第１の筐体の操作部が備えられる前面と対向配置され、該前面の操作部以外の位置を中心点として該前面と略平行に回転する第２の筐体と、前記第１の筐体又は前記第２の筐体のいずれか一方の筐体における他方の筐体との対向面のうち前記操作部と前記中心点との間に形成され、前記中心点における双方の筐体の間隔以上の高さに該他方の筐体に向けて隆起した凸部とを有する。
【発明の効果】
【００１１】
本願の開示する携帯端末装置の一つの態様によれば、回転移動時に筐体が傷つくことを防止することができるという効果を奏する。
【図面の簡単な説明】
【００１２】
【図１】図１は、実施例に係る携帯電話機の前面側外観例を示す斜視図である。
【図２】図２は、実施例に係る携帯電話機の回転状態時における前面側外観例を示す斜視図である。
【図３】図３は、実施例に係る携帯電話機の構成例を示す分解斜視図である。
【図４】図４は、実施例におけるスイングシートの平面拡大図である。
【図５】図５は、図４のＩＩ−ＩＩ線における断面を模式的に示す図である。
【図６】図６は、図１のＩＩＩ−ＩＩＩ線における断面を模式的に示す図である。
【図７】図７は、実施例に係る携帯電話機のスイング動作を示す平面図である。
【図８】図８は、図７のＩＶ−ＩＶ線におけるスイングシート及び接触部の断面を模式的に示す図である。
【図９】図９は、従来の回転式携帯端末装置の外観例を示す斜視図である。
【図１０】図１０は、従来の回転式携帯端末装置の外観例を示す斜視図である。
【図１１】図１１は、図９のＩ−Ｉ線における断面を模式的に示す図である。
【発明を実施するための形態】
【００１３】
以下に、本願の開示する携帯端末装置の実施例を図面に基づいて詳細に説明する。なお、この実施例により本願の開示する携帯端末装置が限定されるものではない。例えば、以下の実施例では、本願の開示する携帯端末装置を携帯電話機に適用する例を示すが、本願の開示する携帯端末装置は、ＰＤＡ（Personal  Digital  Assistant）などの他の携帯端末装置にも適用することができる。
【実施例】
【００１４】
まず、図１及び図２を用いて、本実施例に係る携帯電話機の外観について説明する。図１は、本実施例に係る携帯電話機１００の前面側外観例を示す斜視図である。図１に示すように、本実施例に係る携帯電話機１００は、可動側筐体１１０と、固定側筐体１２０とを備える。
【００１５】
なお、以下では、可動側筐体１１０の液晶表示部が備えられた面を「前面」と表記する場合があり、可動側筐体１１０の液晶表示部が備えられた面の裏面を「背面」と表記する場合がある。また、固定側筐体１２０の操作キーが備えられた面を「前面」と表記する場合があり、固定側筐体１２０の操作キーが備えられた面の裏面を「背面」と表記する場合がある。
【００１６】
可動側筐体１１０及び固定側筐体１２０は、図示しない連結部によって可動自在に連結される。かかる連結部は、スライド機構及び回転機構であり、可動側筐体１１０及び固定側筐体１２０をスライド自在に連結するとともに、固定側筐体１２０に対して可動側筐体１１０を回転自在に連結する。なお、図１は、可動側筐体１１０がスライドされて、可動側筐体１１０と固定側筐体１２０とが最小の重なり範囲で重なった開状態を示している。また、図１は、可動側筐体１１０が回転移動していない状態を示している。このようなスライド型の携帯電話機１００は、一般に、非使用時には可動側筐体１１０と固定側筐体１２０とが重ねられて閉状態となる。また、携帯電話機１００は、固定側筐体１２０に設けられたキー操作時には、可動側筐体１１０が固定側筐体１２０に対して長手方向にスライドさせられ開状態となる。
【００１７】
可動側筐体１１０は、図１に示すように、前面外装ケース１１１と、背面外装ケース１１２とを有する。前面外装ケース１１１は、閉状態時における携帯電話機１００の外面となる。また、背面外装ケース１１２は、閉状態時における携帯電話機１００の内側に位置する。
【００１８】
前面外装ケース１１１は、通話音声を受話する受話部１１３、各種情報を表示する液晶表示部１１４、前面外装ケース１１１を貫通する開口部１１５等が設けられる。開口部１１５は、可動側筐体１１０内部の前面側に備えられた図示しないマイクへ通じる貫通孔である。すなわち、ユーザが発する発話音声は、開口部１１５から可動側筐体１１０の内部へ進入し、マイクによって収音される。
【００１９】
固定側筐体１２０は、図１に示すように、前面外装ケース１２１と、背面外装ケース１２２とを有する。前面外装ケース１２１は、閉状態時における携帯電話機１００の内側に位置する。また、背面外装ケース１２２は、閉状態時における携帯電話機１００の外面となる。前面外装ケース１２１は、多機能キー、決定キー、ダイヤルキー、テンキー等の操作キーを有するキーパッド１２３が設けられる。
【００２０】
図２は、本実施例に係る携帯電話機１００の回転状態時における前面側外観例を示す斜視図である。図２に示すように、可動側筐体１１０が回転移動させられた場合には、可動側筐体１１０の長手方向と固定側筐体１２０の長手方向とが垂直状態になる。このように、携帯電話機１００は、可動側筐体１１０が回転可能であるので、液晶表示部１１４の視認性を向上させることができる。
【００２１】
なお、本実施例における可動側筐体１１０の回転範囲は、図１に示した非回転状態から、図２に示した回転状態までであるものとする。具体的には、可動側筐体１１０の回転範囲は、可動側筐体１１０の長手方向と固定側筐体１２０の長手方向とが平行である非回転状態から、可動側筐体１１０の長手方向と固定側筐体１２０の長手方向とが垂直になる回転状態までである。言い換えると、可動側筐体１１０は、図１に示した非回転状態から、固定側筐体１２０に対して９０°回転することが可能である。
【００２２】
次に、図３を用いて、本実施例に係る携帯電話機１００の内部構造について説明する。図３は、本実施例に係る携帯電話機１００の構成例を示す分解斜視図である。図３に示すように、可動側筐体１１０には、レールプレート１１６と、スイングプレート１１７とが取り付けられる。レールプレート１１６は、固定側筐体１２０の前面外装ケース１２１の外周縁に形成される凸上の溝を可動側筐体１１０と一体的に摺動する。スイングプレート１１７は、固定側筐体１２０のベースプレート１２６と嵌合する。例えば、スイングプレート１１７の中央部分と、ベースプレート１２６の中央部分とが嵌合する。そして、スイングプレート１１７は、ベースプレート１２６との嵌合部分を軸として、可動側筐体１１０と一体的に回転する。このとき、スイングプレート１１７は、ベースプレート１２６の摺動溝を摺動することで、可動側筐体１１０と一体的に回転する。また、スイングプレート１１７は、キーパッド１２３の方向に突き出した接触部１１７ａが形成される。かかる接触部１１７ａは、後述するスイングシート１２７と接触する。
【００２３】
また、本実施例おける固定側筐体１２０は、スイングシート１２７が設けられる。スイングシート１２７は、固定側筐体１２０のキーパッド１２３が設けられる操作面のうち、キーパッド１２３と、スイングプレート１１７及びベースプレート１２６の嵌合部分との間に設けられる。言い換えれば、スイングシート１２７は、キーパッド１２３と、スイングプレート１１７及びベースプレート１２６の回転軸Ａ１との間に設けられる。かかるスイングシート１２７は、回転軸Ａ１におけるスイングプレート１１７とベースプレート１２６の嵌合部分との間隔以上の高さに隆起した凸部が形成される。
【００２４】
ここで、図４及び図５を用いて、スイングシート１２７について具体的に説明する。図４は、本実施例におけるスイングシート１２７の平面拡大図を示す。なお、図４は、図３に示した固定側筐体１２０の前面から見たスイングシート１２７の拡大図を示す。また、図５は、図４のＩＩ−ＩＩ線における断面を模式的に示す図である。図４及び図５に示すように、スイングシート１２７には、凸部１２７ａが形成される。かかる凸部１２７ａは、図３に示した回転軸Ａ１におけるスイングプレート１１７とベースプレート１２６の嵌合部分との間隔以上の高さに、スイングプレート１１７の接触部１１７ａに向けて隆起する。すなわち、接触部１１７ａは、スイングプレート１１７が回転移動する場合に、スイングシート１２７の凸部１２７ａに接触しながら移動する。
【００２５】
このように、本実施例におけるスイングプレート１１７の接触部１１７ａは、凸部１２７ａに接触するので、可動側筐体１１０を固定側筐体１２０と離れる方向に持ち上げることができる。具体的には、スイングプレート１１７は、図３に示すように、レールプレート１１６と一体となって、可動側筐体１１０の前面外装ケース１１１に取り付けられる。すなわち、スイングプレート１１７の接触部１１７ａは、固定側筐体１２０に取り付けられるスイングシート１２７の凸部１２７ａと接触することで、可動側筐体１１０と固定側筐体１２０とが接触すること防止することができる。特に、スイングプレート１１７の接触部１１７ａは、スイングプレート１１７が取り付けられている位置からキーパッド１２３が取り付けられている位置までの範囲で、可動側筐体１１０を固定側筐体１２０から離れる方向に傾かせることができる。
【００２６】
図６を用いて具体的に説明する。図６は、図１のＩＩＩ−ＩＩＩ線における断面を模式的に示す図である。図６に示すように、スイングプレート１１７の接触部１１７ａは、スイングシート１２７の凸部１２７ａと接触する。その結果、スイングプレート１１７は、可動側筐体１１０を固定側筐体１２０から離れる方向Ａに持ち上げることができる。
【００２７】
これにより、本実施例に係る携帯電話機１００は、可動側筐体１１０と固定側筐体１２０との隙間がなくなることを防止できるので、可動側筐体１１０が回転移動する場合であっても、可動側筐体１１０の一端が固定側筐体１２０の操作面を傷つけてしまうことを防止することができる。
【００２８】
次に、図７及び図８を用いて、本実施例に係る携帯電話機１００のスイング動作について説明する。図７は、本実施例に係る携帯電話機１００のスイング動作を示す平面図である。また、図８は、図７のＩＶ−ＩＶ線におけるスイングシート１２７及び接触部１１７ａの断面を模式的に示す図である。なお、図７の一番左側に示した状態Ｓ１は、可動側筐体１１０が回転移動していない状態を示す。そして、図７の右側に示した携帯電話機１００ほど、可動側筐体１１０が回転移動しており、図７の一番右側に示した状態Ｓ５は、可動側筐体１１０が固定側筐体１２０に対して９０°回転した状態である。また、図８に示した状態Ｓ１〜Ｓ５は、図７に示した状態Ｓ１〜Ｓ５に対応する。また、図８の中央に付した点線は、スイングシート１２７の中央を示す。
【００２９】
図７の状態Ｓ１に示すように、可動側筐体１１０が回転移動していない場合であっても、スイングプレート１１７の接触部１１７ａは、スイングシート１２７の凸部１２７ａに接触する。具体的には、図８の状態Ｓ１に示すように、スイングプレート１１７の接触部１１７ａのうち、少なくとも一部分は、スイングシート１２７の凸部１２７ａに接触する。
【００３０】
また、図７の状態Ｓ２〜Ｓ４に示すように、スイングプレート１１７が可動側筐体１１０と一体的に回転移動する場合に、接触部１１７ａは、スイングシート１２７の凸部１２７ａに接触しながら移動する。具体的には、図８の状態Ｓ２〜Ｓ４に示すように、スイングプレート１１７の接触部１１７ａの一部分又は全部は、凸部１２７ａに接触しながら凸部１２７ａ上を移動する。
【００３１】
また、図７の状態Ｓ５に示すように、可動側筐体１１０が固定側筐体１２０に対して９０°回転した回転状態においても、スイングプレート１１７の接触部１１７ａは、スイングシート１２７の凸部１２７ａに接触する。具体的には、図８の状態Ｓ５に示すように、スイングプレート１１７の接触部１１７ａのうち、少なくとも一部分は、スイングシート１２７の凸部１２７ａに接触する。
【００３２】
このように、スイングプレート１１７の接触部１１７ａは、常にスイングシート１２７の凸部１２７ａに接触している。これにより、スイングプレート１１７が回転移動する場合に、接触部１１７ａは、前面外装ケース１２１と凸部１２７ａとの段差に引っかかることがないので、凸部１２７ａ上を滑らかに移動することができる。すなわち、本実施例に係る携帯電話機１００は、可動側筐体１１０をスムーズに可動させることができる。
【００３３】
また、図８に示すように、スイングシート１２７の凸部１２７ａは、中央から両端に向けて高さが徐々に低くなる形状である。具体的には、凸部１２７ａは、状態Ｓ１に示した開状態時に接触部１１７ａが接触する部分、状態Ｓ２である場合に接触部１１７ａが接触する部分、状態Ｓ３である場合に接触部１１７ａが接触する部分の順に徐々に高くなる。そして、凸部１２７ａは、状態Ｓ３である場合に接触部１１７ａが接触する部分、状態Ｓ４である場合に接触部１１７ａが接触する部分、状態Ｓ５である場合に接触部１１７ａが接触する部分の順に徐々に低くなる。すなわち、凸部１２７ａは、接触部１１７ａの移動方向に対して滑らかな山状に隆起する。
【００３４】
これにより、本実施例におけるスイングシート１２７は、一部の範囲において可動側筐体１１０の回転移動を助勢することができる。例えば、スイングシート１２７は、可動側筐体１１０が図７の状態Ｓ３から状態Ｓ５へ回転移動する場合に、可動側筐体１１０の回転移動を助勢することができる。これは、スイングプレート１１７の接触部１１７ａには、凸部１２７ａと接触する方向に力が働いているので、接触部１１７ａは、状態Ｓ３から状態Ｓ５へ遷移する場合には、凸部１２７ａの高さが低い方向へ移動するからである。したがって、本実施例に係る携帯電話機１００のユーザは、可動側筐体１１０を状態Ｓ３から状態Ｓ５へ容易に回転移動させることができる。同様に、スイングシート１２７は、可動側筐体１１０が図７の状態Ｓ３から状態Ｓ１へ回転移動する場合に、可動側筐体１１０の回転移動を助勢することができる。したがって、実施例に係る携帯電話機１００のユーザは、可動側筐体１１０を状態Ｓ３から状態Ｓ１へ容易に回転移動させることができる。
【００３５】
上述してきたように、本実施例に係る携帯電話機１００は、固定側筐体１２０に、スイングプレート１１７の接触部１１７ａに向けて隆起した凸部１２７ａを有するスイングシート１２７が取り付けられる。そして、可動側筐体１１０が回転する場合に、スイングプレート１１７の接触部１１７ａは、凸部１２７ａに接触しながら移動する。これにより、スイングプレート１１７は、可動側筐体１１０を固定側筐体１２０から離れる方向に傾かせることができる。すなわち、本実施例に係る携帯電話機１００は、可動側筐体１１０と固定側筐体１２０との隙間がなくなることを防止できるので、可動側筐体１１０が回転移動する場合であっても、可動側筐体１１０の一端が固定側筐体１２０の操作面を傷つけてしまうことを防止することができる。
【００３６】
なお、可動側筐体と固定側筐体との隙間がない場合には、可動側筐体の一端が固定側筐体の操作部と接触しながら回転移動する結果、可動側筐体の一端が操作部を押下するとも考えられる。このことは、可動側筐体が回転移動する場合に、ユーザの意図しない操作キーが押下されるという問題を招く。しかし、本実施例に係る携帯電話機１００は、スイングプレート１１７が可動側筐体１１０を固定側筐体１２０から離れる方向に持ち上げるので、可動側筐体１１０が回転移動する場合であっても、ユーザの意図しない操作キーが押下されることを防止できる。
【００３７】
また、本実施例におけるスイングシート１２７の凸部１２７ａは、少なくともスイングプレート１１７の接触部１１７ａの回転軌跡に対応する位置に形成される。言い換えれば、スイングプレート１１７の接触部１１７ａは、回転軌跡の全範囲においてスイングシート１２７の凸部１２７ａに接触する。これにより、本実施例に係る携帯電話機１００は、スイングプレート１１７が回転移動する場合に、接触部１１７ａが前面外装ケース１２１と凸部１２７ａとの段差に引っかかることを防止できる。その結果、本実施例に係る携帯電話機１００は、可動側筐体１１０をスムーズに可動させることができる。
【００３８】
また、本実施例におけるスイングシート１２７の凸部１２７ａは、図８に示すように、中央から両端に向けて高さが徐々に低くなる形状である。これにより、本実施例に係る携帯電話機１００は、一部の回転範囲において可動側筐体１１０の回転移動を助勢することができる。したがって、本実施例に係る携帯電話機１００のユーザは、一部の回転範囲において可動側筐体１１０を容易に回転移動させることができる。
【００３９】
なお、上記実施例では、固定側筐体１２０の前面にスイングシート１２７が設けられる例を示した。しかし、固定側筐体１２０の前面自体が上記の凸部１２７ａと同様の形状に隆起してもよい。
【００４０】
また、上記実施例では、スイングプレート１１７の接触部１１７ａがスイングシート１２７の凸部１２７ａに接触しながら移動する例を示した。しかし、レールプレート１１６の一部や、前面外装ケース１１１の一部がスイングシート１２７の凸部１２７ａに接触しながら移動してもよい。
【００４１】
また、上記実施例では、固定側筐体１２０の前面にスイングシート１２７が設けられる例を示した。しかし、スイングシート１２７は、可動側筐体１１０に設けられてもよい。例えば、上記の接触部１１７ａが固定側筐体１２０の前面に向かって隆起する形状であってもよい。
【００４２】
また、上記実施例では、本願の開示する携帯端末装置を携帯電話機に適用する例を説明したが、本願の開示する携帯端末装置は、これに限定されるものではない。例えば、本願の開示する携帯端末装置は、小型情報処理端末、小型音楽再生装置、携帯テレビ、携帯型ゲーム機等の他の各種携帯端末装置にも適用することができる。
【符号の説明】
【００４３】
１００  携帯電話機
１１０  可動側筐体
１１１  前面外装ケース
１１２  背面外装ケース
１１３  受話部
１１４  液晶表示部
１１５  開口部
１１６  レールプレート
１１７  スイングプレート
１１７ａ  接触部
１２０  固定側筐体
１２１  前面外装ケース
１２２  背面外装ケース
１２３  キーパッド
１２６  ベースプレート
１２７  スイングシート
１２７ａ  凸部
２００  携帯端末装置
２１０  可動側筐体
２１１  液晶表示部
２２０  固定側筐体
２２１  操作部
【図１】
2011205501.tif 000003
【図２】
2011205501.tif 000004
【図３】
2011205501.tif 000005
【図４】
2011205501.tif 000006
【図５】
2011205501.tif 000007
【図６】
2011205501.tif 000008
【図７】
2011205501.tif 000009
【図８】
2011205501.tif 000010
【図９】
2011205501.tif 000011
【図１０】
2011205501.tif 000012
【図１１】
2011205501.tif 000013